(57)【要約】【課題】吸込効率が向上して集塵できる電気掃除機を提供する。【解決手段】電動送風機による吸込風を反転させることなく集塵装置の塵埃分離室２３での旋回流の進行方向に沿って風が流れる。電動送風機による吸込効率を向上できる。集塵室５１の排出口３３を塵埃分離室２３の旋回室３２に連通する。排出口３３を旋回室３２での旋回流の旋回に対する接線方向に向けて開口する。旋回室３２での吸込風の旋回にて遠心分離した塵埃を集塵室５１に確実に集塵できる。【選択図】　　　　図１
2004121622.tif 000002
【特許請求の範囲】
【請求項１】
電動送風機を収容した掃除機本体と、
前記電動送風機の吸込側に位置し、この電動送風機による吸込風を旋回流として塵埃を遠心分離する塵埃分離部と、
この塵埃分離部を通過した空気を前記旋回流の進行方向に沿って前記電動送風機へと導く風路と、
前記塵埃分離部に形成され前記旋回流の旋回に対する接線方向に向けて開口した連通口と、
この連通口に連通し前記塵埃分離部にて分離した塵埃を集塵する集塵部と
を具備したことを特徴とした電気掃除機。
【請求項２】
塵埃分離部と集塵部とを区画するとともに前記集塵部側に凸となるよう円弧状に形成された壁部と、
前記塵埃分離部に形成され連通口から前記集塵部へと流れた風を前記塵埃分離部へと還流させる還流口とを具備し、
前記連通口と前記還流口とを前記壁部の円弧に沿う両側に配置した
ことを特徴とした請求項１記載の電気掃除機。
【発明の詳細な説明】
【０００１】
【発明の属する技術分野】
本発明は、電動送風機による吸込風を旋回させて塵埃を遠心分離する電気掃除機に関する。
【０００２】
【従来の技術】
従来、この種の電気掃除機としては、吸い込んだ吸込風を上下方向を軸とした旋回流を下方に進行させて塵埃を分離した後、空気を上方に向かって反転させるいわゆる反転流式のサイクロンを用いた電気掃除機が知られている。この電気掃除機の掃除機本体の前面には、本体吸込口が開口されている。また、この掃除機本体の内部には、本体吸込口から塵埃とともに空気を吸い込む電動送風機が収容されている。
【０００３】
そして、この電動送風機と本体吸込口との間には、本体吸込口から吸込風とともに吸い込んだ塵埃を旋回させて遠心分離させる塵埃分離部としての略有底円筒状のダストカップが着脱可能に取り付けられている。このダストカップは、電動送風機の駆動により本体吸気口から吸い込んだ吸込風を、このダストカップの内部へと導くために上下方向を軸とした旋回流を下方に進行させて塵埃を自重による遠心分離により落下させる。その後、吸込風は反転されて上方向かって流れて電動送風機に吸引される（例えば、特許文献１参照。）。
【０００４】
【特許文献１】
特開２００２−１７６２６号公報（第６頁、図１および図１１）
【０００５】
【発明が解決しようとする課題】
しかしながら、上記電気掃除機では、電動送風機の駆動により本体吸気口から吸い込んだ吸込風を旋回させて旋回流とした後、旋回流の進行方向と逆方向に反転させて風を電動送風機に導く反転流式のサイクロンが用いられているので、吸込効率が低下しやすいという問題を有している。
【０００６】
本発明は、このような点に鑑みなされたもので、吸込効率が向上して集塵できる電気掃除機を提供することを目的とする。
【０００７】
【課題を解決するための手段】
本発明の電気掃除機は、電動送風機による吸込風を旋回流として塵埃を遠心分離する塵埃分離部を通過した空気を旋回流の進行方向に沿って電動送風機へと導く風路と、塵埃分離部に形成され旋回流の旋回に対する接線方向に向けて開口した連通口と、この連通口に連通し塵埃分離部にて分離した塵埃を集塵する集塵部とを具備したものである。そして、電動送風機による吸込風を反転などさせることなく、塵埃分離部での旋回流の進行方向に沿って風が流れるため、吸込効率が向上する。また、連通口を旋回流の旋回に対する接線方向に向けて開口させたので、この塵埃分離部での吸込風の旋回によって、この塵埃分離部にて分離した塵埃が集塵部にて確実に集塵される。
【０００８】
【発明の実施の形態】
以下、本発明の電気掃除機の一実施の形態を図１ないし図６を参照して説明する。
【０００９】
図１ないし図６において、１は掃除機本体で、この掃除機本体１は、吸い込んだ吸込風を反転させずに重力により塵埃を分離する直進流式のサイクロン方式を用いており、床面を走行可能である。また、この掃除機本体１は、中空なケース体２を備えており、このケース体２の前側には、円形の本体吸込口３が側方に向けて水平に開口されている。この本体吸込口３には、可撓性を有する細長円筒状のホース体４の基端部に連通された接続管部５が水平に着脱可能に連通接続されている。さらに、このホース体４の先端には、伸縮可能な図示しない延長管を介して吸込口体としての床ブラシが着脱可能に連通接続されている。
【００１０】
また、ケース体２の内部には、駆動手段としての電動部である電動送風機６が収容されている。この電動送風機６は、ケース体２内における後側上方に配設されており、吸込側をケース体２の本体吸込口３側である前側下方に向けた状態で収容されている。さらに、このケース体２内における本体吸込口３と電動送風機６との間であるこの電動送風機６の吸込側には、この電動送風機６の駆動により本体吸込口３から吸い込んだ吸込風を電動送風機６に向かって直進させながら内部で旋回させて、この吸込風とともに吸い込んだ塵埃を自重による遠心分離により落下させる集塵装置１１が取り付けられている。
【００１１】
そして、この集塵装置１１は、本体吸込口３の基端側に気密に連通した細長円筒状の連通管１２を備えている。この連通管１２は、本体吸込口３に対して後側上方に向けて屈曲した状態でこの本体吸込口３に接続されており、この本体吸込口３から吸い込んだ吸込風の風路を上方へと導く。また、この連通管１２の基端側は、この連通管１２を介して本体吸込口３から吸い込んだ吸込風を旋回流とする、具体的には進行方向を軸として旋回させた状態で直進させる中空略円柱状の塵埃分離部１０の一部を構成するサイクロン室１３の先端側に気密に連通接続されている。
【００１２】
このサイクロン室１３は、連通管１２に対して基端側を上方に向けて傾斜させた状態でこの連通管１２に接続されている。また、このサイクロン室１３は、連通管１２よりも大きな径寸法を有しており、このサイクロン室１３の中心軸が風路に対して平行に配置されている。さらに、このサイクロン室１３の先端面における進行方向に対する前面視右側は、このサイクロン室１３の外周面側を基端側に向けて傾斜させた傾斜面部１４とされている。また、このサイクロン室１３の先端面における進行方向に対する前面視左側は、このサイクロン室１３の周面部に対して垂直な垂直面部１５とされている。そして、この垂直面部１５の上下方向における中央部に、連通管１２の基端側が接続されている。
【００１３】
さらに、このサイクロン室１３の内部には、このサイクロン室１３へと吸い込まれた吸込風を、このサイクロン室１３の内周面に沿って旋回させる旋回手段としてのスパイラル翼１６が収容されている。このスパイラル翼１６は、サイクロン室１３へと吸い込まれた吸込風を、直進成分を含む旋回風に整流させる。さらに、このスパイラル翼１６は、細長円柱状の軸体１７を備えており、この軸体１７は、サイクロン室１３の中心軸に一致した状態で、このサイクロン室１３内に収容されている。また、この軸体１７の外周面には、この軸体１７の軸方向に沿って螺旋状であるスパイラル状に巻回し、この軸体１７の径方向に向けて巻回しながら突出した羽体としてのフィン１８が同心状に取り付けられている。このフィン１８は、進行方向に対する前面側から見た際に、時計回りに巻回している。さらに、このフィン１８の軸方向における先端縁には、サイクロン室１３の内側から連通管１２の基端部の上側縁に当接して連通される円弧面状の連通面部１９が設けられている。
【００１４】
また、サイクロン室１３の基端側には、このサイクロン室１３よりも径大な略円筒状の嵌合筒部２１が設けられている。この嵌合筒部２１は、塵埃分離部１０の一部を構成する塵埃分離室２３の先端側に連通接続されている。この塵埃分離室２３は、細長平板体の両端部を平行になるまで湾曲させた略Ｕ字状の周面部２２を有し、この周面部２２の両側が閉塞されて構成されている。また、この塵埃分離室２３の先端側の面には、吸込口２４が開口されており、この吸込口２４の開口縁には、この吸込口２４の軸方向に沿って突出した円筒状の嵌合受部２５が設けられている。この嵌合受部２５は、サイクロン室１３の嵌合筒部２１に外嵌合されて気密に連通接続されている。ここで、これらサイクロン室１３および塵埃分離室２３により塵埃分離部１０が構成される。
【００１５】
さらに、塵埃分離室２３は、サイクロン室１３の嵌合筒部２１の外径寸法よりも外径寸法および内径寸法のそれぞれが大きく、軸方向をサイクロン室１３に略一致させた状態で取り付けられている。また、この塵埃分離室２３の周面部２２における上側の円弧状に湾曲した部分が湾曲面部２６とされている。この湾曲面部２６は、進行方向における前側から見た際に、左側部から右側部に向かうに連れて徐々に遠心方向に向けて膨らませて拡径させた形状に形成されている。さらに、この湾曲面部２６に連続した周面部２２の互いに対向した部分が一対の平板状の側面部２７とされている。
【００１６】
そして、これら一対の側面部２７は、湾曲面部２６の軸方向に沿って互いに平行に離間された状態で配設されている。また、これら一対の側面部２７の下側縁には、塵埃分離室２３にて分離した塵埃を落下させて集塵させる細長矩形状の塵埃分離口２８が開口されている。この塵埃分離口２８は、幅方向に沿った長手方向を有している。
【００１７】
また、塵埃分離室２３内における周面部２２の湾曲面部２６と塵埃分離口２８との間には、この湾曲面部２６に対向して円弧状に湾曲した円周面状の壁部としての円周面部３１が区画形成されている。この円周面部３１は、塵埃分離室２３の旋回室３２と集塵室５１の還流室３６とを区画するとともに、この集塵室５１側に向けて凸となるように円弧状に形成されている。そして、この円周面部３１の長手方向である周方向における両端部は、一対の側面部２７よりも内側で、これら一対の側面部２７の上端縁のそれぞれに対して平行に位置している。さらに、この円周面部３１は、周面部２２の湾曲面部２６における軸方向に沿って突出しており、この湾曲面部２６とにより吸込風を進行方向を軸として旋回させた状態で直進させて旋回流とする旋回部としての旋回室３２を区画して構成する。
【００１８】
そして、この円周面部３１の周方向における右側に位置する一端部と、この一端部に対向した周面部２２の右側に位置する一方の側面部２７との間には、この周面部２２の湾曲面部２６の接線方向に向けて開口した矩形状の連通口としての排出口３３が開口されている。この排出口３３は、旋回室３２にて旋回流とされた吸込風を排気させて、この吸込風から遠心分離された塵埃を塵埃分離室２３の下方へと落下させる。
【００１９】
よって、円周面部３１の周方向における右側の外側面と、周面部２２の右側に位置する一方の側面部２７の内側面とによって排気風路３４が形成される。この排気風路３４は、先広に形成されており、円周面部３１の外側面によって、排出口３３から旋回風とともに排出された塵埃の速度が徐々に遅くなるように、下方に向けて徐々に拡開している。この結果、この排気風路３４は、排出口３３から下方に向けて徐々に断面積が大きくなるように構成されている。
【００２０】
さらに、円周面部３１の周方向における左側に位置する他端部と、この他端部に対向した周面部２２の左側に位置する他方の側面部２７との間には、この周面部２２の湾曲面部２６の接線方向に向けて開口した矩形状の還流口３５が開口されている。この還流口３５は、排出口３３と同じ矩形状であり、この排出口３３に対して旋回室３２の中心軸を通過する上下方向を軸方向とした線対称な位置に設けられている。すなわち、この還流口３５と排出口３３とは、円周面部３１の円弧面に沿った両側に配置されている。
【００２１】
また、この還流口３５は、排出口３３から排気された旋回風を再度旋回室３２へと旋回させて還流させる。すなわち、この還流口３５は、排出口３３から還流室３６へと流れた風を旋回室３２へと還流させる。したがって、これら排出口３３および還流口３５によって、塵埃分離室２３内における円周面部３１を介した外側が、排出口３３から排気された旋回風を旋回させて再度旋回室３２へと還流させる還流部としての還流室３６となる。すなわち、この還流室３６は、円周面部３１を介した旋回室３２の反対側の位置に区画形成されている。また、この還流室３６は、塵埃分離室２３の旋回室３２にて遠心分離した塵埃を集塵する集塵部３８の一部を構成する。
【００２２】
よって、円周面部３１の周方向における左側の外側面と、周面部２２の左側に位置する他方の側面部２７の内側面とによって還流風路３７が形成される。この還流風路３７は、先細に形成されており、円周面部３１の外側面によって、還流口３５から旋回室３２へと還流される旋回風の風速が徐々に速くなるように、下方に向けて徐々に拡開している。この結果、この還流風路３７は、還流口３５から下方に向けて徐々に断面積が大きくなるように構成されている。
【００２３】
そして、円周面部３１の下端部と左側に位置する側面部２７との間には、還流室３６から旋回室３２へと還流される旋回風から塵埃を捕捉する集塵フィルタ４１が取り付けられている。この集塵フィルタ４１は、矩形枠状の枠体４２内にメッシュ体である網状体４３が取り付けられて構成されている。さらに、この集塵フィルタ４１は、周面部２２の一対の側面部２７に対して垂直に配設されており、塵埃分離室２３の軸方向に沿って取り付けられている。
【００２４】
また、塵埃分離室２３の塵埃分離口２８の下側には、この塵埃分離室２３にて吸込風から遠心分離されて排出口３３から塵埃分離口２８へと落下した塵埃を集塵する中空な集塵部としての集塵室５１が設けられている。この集塵室５１は、排出口３３に連通しており、還流室３６とにより集塵部３８を構成する。また、この集塵室５１は、ケース体２内において塵埃分離室２３の先端側を下方へと傾斜させて配設させている。したがって、この集塵室５１の上端面は、基端側から先端側に向けて下方へと傾斜しており、この集塵室５１の下端面である底面は、ケース体２内において水平に設置されている。そして、この集塵室５１の上端面の傾斜方向である上下方向における中間部には、幅方向に沿った長手方向を有する細長矩形状の集塵口５２が開口されている。この集塵口５２は、塵埃分離室２３の塵埃分離口２８に連通接続されている。
【００２５】
一方、塵埃分離室２３の基端側には、この塵埃分離室２３にて塵埃が分離された吸込風が通過する円状の通気口５３が開口されている。この通気口５３は、塵埃分離室２３の周面部２２の湾曲面部２６と円周面部３１との間の中心部に設けられている。また、この通気口５３は、塵埃分離室２３の吸込口２４の同心状に形成されている。
【００２６】
そして、この通気口５３には、中空略円錐状のフィルタ体５４の基端側が同心状に取り付けられている。このフィルタ体５４は、通気口５３から塵埃分離室２３の内部側に向けて突出している。また、このフィルタ体５４は、底面が開口され、周面部に径方向に沿った斜辺を有する三角形状の複数の開口部５５が周方向に沿って等間隔に離間されて設けられた略円錐状の枠状体５６を備えている。そして、この枠状体５６の各開口部５５のそれぞれには、これら各開口部５５を通過する吸込風から塵埃を捕捉するメッシュ体としての網状体５７が取り付けられている。
【００２７】
さらに、塵埃分離室２３の基端側には、この塵埃分離室２３の通気口５３に気密に連通された矩形筒状のフィルタ室６１が設けられている。このフィルタ室６１は、塵埃分離室２３の最大外径寸法よりも幅寸法および高さ寸法が大きい矩形筒状に形成されている。また、このフィルタ室６１は、塵埃分離室２３の同心状に取り付けられている。そして、このフィルタ室６１の内部には、塵埃分離室２３を通過した空気を、この塵埃分離室２３での旋回流の進行方向に沿って電動送風機６へと導く吸込風路５８が形成されている。
【００２８】
そして、この吸込風路５８には、紙状のシートを幅方向に向けてジグザグに折り曲げたプリーツ状のフィルタシート６２が収容されている。このフィルタシート６２は、フィルタ室６１内を先端側と基端側とに分割するように、このフィルタ室６１内に収容されている。また、このフィルタシート６２は、フィルタ室６１内を軸方向に対して垂直に閉塞する。さらに、このフィルタシート６２は、塵埃分離室２８の通気口５３を通過した吸込風が通過する際に、この吸込風中に漂う塵埃をフィルタリングにより捕捉する。
【００２９】
また、フィルタ室６１の上側部は、開口されて取出口６３とされている。この取出口６３は、フィルタ室６１内のフィルタシート６２を出し入れ可能にして交換可能にする。また、この取出口６３は、フィルタ室６１の上側部が取り除かれて、このフィルタ室６１の上側部を開口させた幅方向に長手方向を有する細長矩形状に形成されている。そして、この取出口６３には、この取出口６３を開閉可能に気密に閉塞させる矩形平板状の蓋体６４が着脱可能に取り付けられる。
【００３０】
さらに、このフィルタ室６１の基端側には、この塵埃分離室２３の通気口５３に対して同心状に形成され、この通気口５３の内径寸法よりも内径寸法の小さい吸込口６５が開口されている。また、このフィルタ室６１の基端側には、円筒状の連通筒部６６が同心状に設けられている。この連通筒部６６は、フィルタ室６１の幅寸法および高さ寸法のそれぞれよりも小さい外径寸法を有しており、このフィルタ室６１の吸込口６５の同心状に設けられている。そして、この連通筒部６６には、電動送風機６の吸込側が嵌合されて、この電動送風機６の吸込側が気密に連通接続される。
【００３１】
次に、上記一実施の形態の作用を説明する。
【００３２】
まず、電動送風機６の駆動により、床ブラシ、延長管およびホース体４を順次介して掃除機本体１の本体吸込口３から空気とともに塵埃が吸い込まれる。
【００３３】
そして、この本体吸込口３から吸い込まれた空気が吸込風となり、この吸込風は、連通管１２を介してサイクロン室１３へと吸い込まれる。このとき、このサイクロン室１３内へと吸い込まれた吸込風は、このサイクロン室１３内のスパイラル翼１６によって、進行方向を軸として螺旋状に旋回された状態で直進されて旋回流となる。
【００３４】
この後、この旋回流とされた吸込風は、サイクロン室１３から吸込口２４を介して塵埃分離室２３の旋回室３２内で旋回する。このとき、この旋回室３２内での旋回流とされた吸込風の旋回により、この吸込風とともに旋回する塵埃が、自重による遠心分離によって、この旋回室３２の外周側へと送られて、この旋回室３２内の排出口３３から旋回流とされた吸込風とともに還流室３６へと送られる。
【００３５】
そして、この還流室３６へと送られた塵埃は、この塵埃自体の自重によって塵埃分離室２３の塵埃分離口２８を介して集塵室５１内へと落下して、この集塵室５１内に集塵される。
【００３６】
さらに、排出口３３を介して旋回室３２から還流室３６へと旋回した吸込風は、この還流室３６の還流口３５を通過して旋回室３２へと還流する。このとき、この吸込風は、還流室３６に取り付けられた集塵フィルタ４１を通過する。そして、この集塵フィルタ４１の網状体４３によって還流室３６から旋回室３２へと還流される吸込風に漂う塵埃が捕捉される。
【００３７】
また、この旋回室３２内で旋回している吸込風は、この旋回室３２内における中心部から、この旋回室３２内のフィルタ体５４の開口部５５を通過しつつ直進流となる。このとき、この直進流に漂う塵埃が、フィルタ体５４の開口部５５に取り付けられた網状体５７によって捕捉される。
【００３８】
さらに、このフィルタ体５４の開口部５５を通過した直進流は、フィルタ室６１の吸込風路５８へと吸い込まれて、このフィルタ室６１内のフィルタシート６２を通過する。このとき、この直進流に漂う塵埃がフィルタシート６２によって捕捉される。
【００３９】
この後、このフィルタシート６２を通過した直進流である吸込風は、フィルタ室６１の吸込口６５へと吸い込まれ、このフィルタ室６１の連通筒部６６を介して電動送風機６の吸込側へと吸い込まれる。
【００４０】
上述したように、上記一実施の形態によれば、電動送風機６による吸込風を反転などさせることなく、サイクロン室１３にて吸込風を進行方向を軸として螺旋状に旋回させた状態で直進させる直進流式のサイクロン方式を用いた集塵装置１１にて塵埃を分離する。したがって、この集塵装置１１のサイクロン室１３および塵埃分離室２３による分離能力を低下させずに、これらサイクロン室１３および塵埃分離室２３での吸込効率を向上できる。
【００４１】
また、この塵埃分離室２３の旋回室３２にて旋回させて遠心分離させた塵埃を吸込風から分離する排出口３３を、この旋回室３２による吸込風を旋回させる方向に対する接線方向に向けて開口させた。この結果、この旋回室３２での吸込風の旋回によって、この旋回室３２にて遠心分離させた塵埃を排出口３３および塵埃分離口２８のそれぞれを介して集塵室５１へと確実に落下させて集塵できる。よって、これら塵埃分離室２３および集塵室５１による吸込風からの塵埃の分離性能をより向上できる。
【００４２】
さらに、旋回室３２内の円周面部３１を介した外側に、この円周面部３１の裏面を利用して還流室３６を設けるとともに、塵埃分離室２３にて遠心分離された塵埃が排出される排出口３３の対称な位置に還流口３５を設けた。このため、旋回室３２内での吸込風の旋回により遠心分離された塵埃が排出口３３から還流室３６へと排出されるとともに、この排出口３３を介して還流室３６内へと旋回する吸込風を、還流口３５を介して旋回室３２へと還流できる。
【００４３】
したがって、塵埃分離室２３の旋回室３２にて遠心分離された塵埃を効率良く排出口３３から排出できるとともに、集塵装置１１の部品点数を増加させることなく、塵埃分離室２３の排出口３３から還流室３６へと旋回する吸込風を旋回室３２へと効率良く還流できる。よって、集塵装置１１による吸込効率をより向上できる。
【００４４】
また、この塵埃分離室２３の還流口３５よりも下側である円周面部３１の下端部と側面部２７との間に集塵フィルタ４１を取り付けたので、この塵埃分離室２３の還流室３６へと吸い込まれた旋回風が還流口３５を介して旋回室３２へと還流する際に、この旋回風とともに旋回室３２へと還流される塵埃を集塵フィルタ４１の網状体４３にて捕捉できる。
【００４５】
このため、塵埃分離室２３の排出口３３から吸込風とともに排出された塵埃の旋回室３２への還流を防止できる。よって、この塵埃分離室２３の旋回室３２にて遠心分離させた塵埃をより効率良く確実に還流室３６を介して塵埃分離口２８から集塵室５１に集塵できる。したがって、集塵装置１１による塵埃の分離効率をより向上できる。
【００４６】
このとき、排出口３３から還流室３６へと排出された塵埃は、この還流室３６へと吸い込まれた旋回風によって排出口３３の対称な位置に設けた集塵フィルタ４１にて捕捉される。このため、この還流室３６から塵埃分離口２８を介して集塵室５１へと集塵させる塵埃を、この集塵室５１における排出口３３の下側と還流口３５の下側とに分離させて集塵できる。よって、この集塵室５１での実質的な塵埃の有効収容堆積を増加できる。
【００４７】
さらに、塵埃分離室２３の旋回室３２の外周面を構成する湾曲面部２６を、左側部から右側部に向かうに連れて徐々に遠心方向に向けて膨らませて拡径させた形状とした。この結果、この湾曲面部２６と円周面部３１とにより構成される旋回室３２での旋回風に漂う塵埃に働く遠心力によって、これら塵埃が旋回風の外周側へと移動して湾曲面部２６の内周面に衝突し、この湾曲面部２６の内周面に寄りつつこの湾曲面部２６の接線方向に沿って移動して排出口３３に対面して集塵室５１へと排出されて集塵される。このため、旋回風に漂う塵埃に働く慣性力を利用して、これら塵埃を集塵室５１に集塵できるから、集塵装置１１の集塵効率をより向上できる。
【００４８】
なお、上記一実施の形態では、キャニスタ型の電気掃除機について説明したが、ポット式やアップライト型などの電気掃除機であっても対応させて用いることができる。
【００４９】
【発明の効果】
本発明によれば、塵埃分離部での旋回流の進行方向に沿って風が流れるため、吸込効率を向上でき、また、連通口を旋回流の旋回に対する接線方向に向けて開口させたので、この塵埃分離部での吸込風の旋回によって、この塵埃分離部にて分離した塵埃を集塵部にて確実に集塵できる。
【図面の簡単な説明】
【図１】本発明の電気掃除機の一実施の形態の一部を示す一部を切り欠いた斜視図である。
【図２】同上電気掃除機の一部を示す一部を切り欠いた斜視図である。
【図３】同上電気掃除機の一部を示す一部を切り欠いた斜視図である。
【図４】同上電気掃除機の塵埃分離部および集塵部の一部を切り欠いた分解斜視図である。
【図５】同上塵埃分離部および集塵部を示す斜視図である。
【図６】同上電気掃除機を示す説明側面図である。
【符号の説明】
１　　掃除機本体
６　　電動送風機
１０　　塵埃分離部
３１　　壁部としての円周面部
３３　　連通口としての排出口
３５　　還流口
３８　　集塵部
５８　　風路としての吸込風路
【図１】
2004121622.tif 000003
【図２】
2004121622.tif 000004
【図３】
2004121622.tif 000005
【図４】
2004121622.tif 000006
【図５】
2004121622.tif 000007
【図６】
2004121622.tif 000008